(57)【要約】【課題】遠投ができ、微弱なアタリの感知が得られ、聞き合わせでは付け餌の放しを少なくした二段浮きを提供する。【解決手段】道糸の先端にハリスを取着し、ハリスの先端に釣針を取り付けた仕掛けである。道糸の先端部分にアタリ浮きを取り付ける。糸紐部材の基端部をアタリ浮きに連結し、その先端部に飛ばし浮きを連結する。糸紐部材の途中部分に弛み付け用の錘を装着し、この錘によって水中にて糸紐部材を下方へ弛ませる。糸紐部材の弛みの分だけは魚が飛ばし浮きの抵抗を感じることがなく、魚が付け餌を放す頻度を減らすことができる。【選択図】図１
2018050589.tif 000002
【特許請求の範囲】
【請求項１】
道糸の先端部分にまたはハリスに取り付けられたアタリ浮きと、
このアタリ浮きに基端部が連結された糸紐部材と、
この糸紐部材の先端部に連結された飛ばし浮きと、
前記糸紐部材の長さ方向の途中部分に、固定状態またはこの糸紐部材の長さ方向へ移動自在に装着されて、この糸紐部材を水中にて下方へ弛ませる１つまたは２つ以上の弛み付け用錘とを備えた二段浮き。
【請求項２】
前記弛み付け用錘は、前記糸紐部材の途中部分にこの糸紐部材の長さ方向へ移動自在に装着され、
この糸紐部材の途中には、前記弛み付け用錘の移動を規制するストッパを取り付けた請求項１に記載の二段浮き。
【発明の詳細な説明】
【技術分野】
【０００１】
この発明は二段浮き、詳しくは飛ばし浮きとアタリ浮きとを有する二段浮きに関する。
【背景技術】
【０００２】
近年、付け餌を取るのが上手いグレなどを釣る仕掛けとして、例えば、非特許文献１に記載された二段浮き仕掛けが知られている。これは、道糸の先端部に、仕掛けを遠くに飛ばす錘としての機能を果たす飛ばし浮き（遠投浮き）と、魚の小さなアタリ（喰い付き）を確認するアタリ浮きとが、道糸の先端に向かって所定間隔をあけて、順次、取り付けられたものである。
二段浮きを使用することで、飛ばし浮きにより仕掛けを遠くまで飛ばすことができるとともに、小さな魚信は流体抵抗の小さいアタリ浮きによって確認することができる。
【先行技術文献】
【特許文献】
【０００３】
【非特許文献１】［平成２８年７月１１日検索］、インターネット＜URL：http://www.otomiya.com/fishing/iso/14-2danuki.html
【発明の概要】
【発明が解決しようとする課題】
【０００４】
ところで、魚が付け餌を喰っているかを確かめるため、仕掛けを軽く張って魚の反応を見ながらアワセをとる"聞き合わせ"が一般に行われている。"聞き合わせ"では、針の付け餌を魚が放さない程度の軽い重みを浮きが動かないようにかけ道糸に張りを作る。浮きより下のハリスは、魚が付け餌を下に引き込むことで張っている。この状態で待つことで、魚の小さな動きも解り、小さいアタリがとれるのである。また、この状態で待っていると、魚が反転して走り出す、向こうアワセ状態となることも多いのである。
しかしながら、従来の二段浮きにあっては、飛ばし浮きとアタリ浮きとが道糸に固定されていたため、付け餌を咥えた魚がこれを軽く引いた際に、魚はアタリ浮きの流体抵抗（残存浮力）だけでなく、それより大きくて重い飛ばし浮きの抵抗（重み）も感じてしまう。その結果、魚は違和感を覚えて餌を放していた。
その対策として、飛ばし浮きを道糸に固定せず、飛ばし浮きをスルスル浮きとして使用することにより、魚の違和感を解消することが行われている。
【０００５】
しかし、一度にアタリ浮きを持ち込まないアタリも多く、これはアタリの感度を上げるほど（アタリ浮きの浮力を残さない高感度設定）、魚がハリに付けた付け餌を咥えても反転して走らないアタリが多くなる。これは釣り人が頻繁に入る釣り場で釣り人が撒く、撒き餌を多く食べ、お腹が空いていない、潮の動きが悪く魚の活性が悪いなど色々な理由が考えられ、余分な浮力を残し過ぎた浮きでは魚が付け餌を引き込む際に浮きの重みを感じて、つまり、違和感を覚えて付け餌を放してしまい、上記の様なアタリの水面下で浮きが止まる様なアタリは少ない。
上記の様なアタリでは、魚が反転していないので、尾を下げ、胸ビレの動きで下へと移動する。尾側は下がっているため、反対側の、魚の口は上方向を向いている。
付け餌はあま噛み状態（軽く咥えているだけ）なので、釣り竿をしゃくってのアワセをいれても、ハリがスッポ抜けてハリ掛りしないのである。
このような状況下で魚をハリ掛りさせるためには、"聞き合わせ"と言う釣り技がある。
これは、余分な道糸をリールで巻くことでとり、釣り竿から浮きまでの道糸をなるべく一直線に近づけて張ってやる（投げ釣りと同じで重たい錘を付ける事で時には１００ｍ以上も遠投しても、余分な道糸をリールで取り道糸を一直線状態に近づける事で遠くの魚のアタリも明確にとれるのと同じ事）。この時に浮きをあまり動かすと魚に違和感を与えるため、浮きはあまり動かさないようにして道糸を張り待つのである。
そうしていると、水中でのわずかな動きや水中での波の動きあるいは海での潮の動きで魚に徐々に重みがかかり、魚が付け餌を放さないが（又はハリ掛りする。）何かおかしいと感じて反転して走って逃げようと仕向ける釣り技である。
この"聞き合わせ"をしようとする時、単体の浮きでは竿先から浮きまでを一直線に近づけることはたやすい。しかしながら、水面上に２つの飛ばし浮きとアタリ浮きを浮かせた釣り方では、アタリ浮きを魚が沈めて水面下で止まった際に飛ばし浮きがアタリ浮きに対して釣り人側より横方向などにある時は、余分な道糸をリールで回しとって一直線状態に近づけようとすると、重たい飛ばし浮きを手前に引っ張るとアタリ浮きも引っ張る事になり、魚が違和感を覚えて付け餌を放す原因となってしまう。さらに、余分な道糸を回しとっても、飛ばし浮きがアタリ浮きの横側にあるため、アタリ浮きに対して飛ばし浮きを、釣り人側手前にはもってくることができないので、アタリ浮きから竿先までの道糸を一直線状態に近づけられない。
さらに、飛ばし浮きは水面に浮いているため、飛ばし浮きの所で前記、アタリ浮きを魚が沈めて水面下で止まった状態なので道糸に折れ（曲がり）ができる事で魚の小さなアタリが竿先に伝わりにくくなる。
【０００６】
そこで、発明者は鋭意研究の結果、道糸の先端部分に取り付けられたアタリ浮きから延びる糸紐部材を介して、このアタリ浮きに飛ばし浮きを連結し、糸紐部材の長さ方向の途中部分に、この糸紐部材を水中で下方へ弛ませる弛み付け用錘を設けた二段浮きとすれば、上述した課題が全て解消されることを知見し、この発明を完成させた。
【０００７】
すなわち、この発明は、飛ばし浮きによる仕掛けの遠投と、アタリ浮きによる微弱な魚のアタリの感知とが得られるとともに、魚の付け餌の喰い付きを確かめる"聞き合わせ"などにおいて、魚が飛ばし浮きの抵抗（重み）を感じて付け餌を放すことの頻度を少なくすることができる二段浮きを提供することを目的としている。
【課題を解決するための手段】
【０００８】
請求項１に記載の発明は、道糸の先端部分にまたはハリスに取り付けられたアタリ浮きと、このアタリ浮きに基端部が連結された糸紐部材と、この糸紐部材の先端部に連結された飛ばし浮きと、前記糸紐部材の長さ方向の途中部分に、固定状態またはこの糸紐部材の長さ方向へ移動自在に装着されて、この糸紐部材を水中において下方へ弛ませる１つまたは２つ以上の弛み付け用錘とを備えた二段浮きである。
【０００９】
請求項１に記載の発明によれば、糸紐部材の途中部分に弛み付け用錘を装着したため、飛ばし浮きとアタリ浮きとを連結する糸紐部材が水中で下方に弛むこととなり、魚が付け餌を軽く引いてアタリ浮きを水中にわずかに引き込んでも、糸紐部材の弛みの分だけは魚が飛ばし浮きの抵抗（重み）を感じない。その結果、飛ばし浮きの抵抗（残存浮力）による魚が付け餌を放す頻度を減らすことができる。
【００１０】
アタリ浮きの種類は限定されない。例えば、棒浮き、どんぐり浮き、円錐浮き、円形浮き、逆円錐浮きなどを採用することができる。
飛ばし浮きの種類も限定されない。例えば、どんぐり浮き、円錐浮き、円形浮き、逆円錐浮きなどを採用することができる。また、横状態で浮く浮きでも良い。
ここでの糸紐部材とは、線状材または紐状材をいう。線状材としては、例えば、釣糸を含む各種の糸を、また、紐状材としては、例えば、ポリアミド合成繊維の組紐である「リリアン」を採用することができる。その他にも、ポリアミド合成繊維からなる紐、ウレタン樹脂繊維からなる紐、その他各種の合成樹脂繊維からなる紐でもよい。
糸紐部材の長さは任意であるが、２０ｃｍ〜８０ｃｍが好ましい。２０ｃｍ未満では糸紐部材が短すぎて、弛み付け用錘を装着しても糸紐部材が十分に弛まない。また、８０ｃｍを超えれば、糸紐部材が長すぎて使用しにくくなる。
【００１１】
弛み付け用錘の素材は、海水よりその比重が大きいものであれば任意である。例えば、鉛、鉄、ステンレス、タングステン、ガラス、セラミックス、高比重の合成樹脂などを使用することができる。
弛み付け用錘の重さは任意である。請求項２に記載の発明の場合では、釣り方によって弛み付け錘の重さが変わる。道糸を緩めての流し釣りの場合は弛み付け錘の重さは例えば０．０５ｇ〜０．５ｇが好ましい。０．０５ｇ未満では弛み付け用錘が軽すぎて、糸紐部材がしっかりとなじんでくれない。また、風や流れなどにより飛ばし浮きとアタリ浮きとが離れ過ぎて糸紐部材が浮き上がる場合がある。
一方、道糸に張りをもたせた張り釣りでは、道糸の張りによる糸紐部材の浮き上がりを防ぐため、弛み付け錘は糸紐部材に移動を規制するストッパを設けてある場合にかぎり、流し釣りの場合よりも重たいものが良い。例えば１ｇ以上でも良い。
【００１２】
弛み付け用錘の使用数は、１つでもよいし、２つ以上でもよい。
弛み付け用錘は、糸紐部材に固定されても良く、その長さ方向へ移動自在（スライド自在）に装着されていても良い。例えば、弛み付け用錘を複数使用する場合、固定される弛み付け用錘と、移動自在の弛み付け用錘とを併設してもよい。また、円筒状の弛み付け用錘を糸紐部材に固定(掛止)する部材としては、例えば、弛み付け用錘の筒内に差し込まれる固定棒の他、これにねじ込む方式のストッパ構造体でもよい。
【００１３】
請求項２に記載の発明は、前記弛み付け用錘は、前記糸紐部材の途中部分にこの糸紐部材の長さ方向へ移動自在に装着され、この糸紐部材の途中には、前記弛み付け用錘の移動を規制するストッパが取り付けられた請求項１に記載の二段浮きである。
【００１４】
請求項２に記載の発明によれば、糸紐部材の途中部分に、糸紐部材の長さ方向へ移動自在に弛み付け用錘を装着するとともに、糸紐部材の途中にストッパを取り付けたため、糸紐部材に沿った弛み付け用錘の移動が規制される。これにより、糸紐部材の弛みの度合い(弛み量)において、アタリ浮きを水中に引き込んでも魚が飛ばし浮きの抵抗を感じない深さ（水位）を調整することができる。
【００１５】
ストッパの種類は任意である。例えば、ゴム製またはプラスチック製で、糸通し孔が形成されたものなどである。なお、接着剤を糸紐部材に接着して凸部を形成し、この凸部をストッパとすることもできる。
ストッパの使用数は１つでも２つでもよい。特に２つのストッパを離間して配置することにより、糸紐部材上での弛み付け用錘の移動範囲を任意に設定することができる。
【００１６】
この二段浮きにおいて、前記飛ばし浮きには、浮力調整用のウエイトを着脱自在に設けることができる。
【００１７】
この場合、ウエイトを飛ばし浮きに着脱することにより、この飛ばし浮きの浮力を調整することができる。飛ばし浮きの残存浮力を適宜変更することができる。つまり、早い流れでは水流による抵抗が大となり浮きが沈みやすく、一方流れが無くなると水流抵抗も無くなり飛ばし浮きが浮く。このような場合においても適応することができる。
この発明の二段浮きの使用にあたっては、通しリングに道糸を通して取り付けて、浮きの竿側の道糸に浮き止め（浮き止め糸、浮き止めゴム）を付けて使うことで、浮きが所定の位置に来た時に止まるようにして使用する場合と、その浮き止めを使わずに、この発明の二段浮きが遊動状態とすることで魚が釣り針に付けた付け餌をゆっくりと水中に持ち込み止まらず、さらに、水中深く持って行くアタリの場合でも、アタリ浮きの先端にある通しリングを道糸が抜けることで、魚に飛ばし浮きの重みを1度に掛けないため、上記のようなアタリの時でも魚が付け餌を放すことを大きく減らすことができる。
さらに、魚が反転して走ればアタリ浮きの先端部の通しリングを道糸（ハリス）が抜ける早さの力より、魚がこの二段浮きを引き込む早さの力の方が大きくなる。
さらに、道糸が竿先の先の水面より横方向に漂い、アタリ浮きの通しリングを基点に、その先の仕掛けは下方向になっているためアタリ浮きの所で仕掛けに折れができている。
この折れが魚の走りによって直線に近づこうとする（仕掛けの折れがなくなろうとする）ため、飛ばし浮きも水中に沈むので魚が反転して走る本アタリがはっきりと解るのである。
【００１８】
ウエイトの素材は任意である。例えば、鉛、真ちゅうにメッキしたもの、ステンレス、タングステン、ガラス、セラミックス、高比重の合成樹脂などである。
また、飛ばし浮きに対してウエイトを着脱自在に設ける構造は任意である。例えば、飛ばし浮きを密封容器状とし、その内部空間に所定数のウエイト(がん玉など)を出し入れ自在に収納することができる。また、飛ばし浮きの胴部、先端部、または糸紐部材との連結部などに、所定サイズ、所定重さ、所定数のウエイトを着脱自在に取り付けてもよい。
【００１９】
前記アタリ浮きは、前記道糸の先端部分または道糸に連結されたハリスに着脱自在に取り付けてもよい。また、前記弛み付け用錘は、前記糸紐部材の途中部分に着脱自在に装着してもよい。
【００２０】
アタリ浮きを道糸の先端部分に着脱自在に取り付けることで、釣り対象の魚や釣り場などの各種の釣り条件に応じて、適宜アタリ浮きを変更することができる。
また、弛み付け用錘を糸紐部材の途中部分に着脱自在に装着することにより、糸紐部材に装着される弛み付け用錘の重さと数とを適宜変更することができる。
なお、ハリスを長くとる仕掛けでは、アタリ浮きはハリス部分に取り付けられる。
【００２１】
道糸の先端部分（またはハリス）に、アタリ浮きを着脱自在とする構造は任意である。例えば、中通し孔を有するどんぐり浮きの孔部に、先端に道糸の挿通孔が形成された芯棒を、ねじ込み構造を介して、着脱自在に挿着した構造などである。
弛み付け用錘を糸紐部材の途中部分に着脱自在とする構成は限定されない。例えば、円筒状の弛み付け用錘を糸紐部材のアタリ浮き側の端部または飛ばし浮き側の端部から挿通するようにしてもよい。
【発明の効果】
【００２２】
請求項１に記載の発明によれば、糸紐部材の長さ方向の途中部分に、糸紐部材を水中で下方へ弛ませる弛み付け用錘を装着したため、魚が付け餌を水面下に軽く引いてアタリ浮きを水中にわずかに引き込んでも、糸紐部材の弛みの分だけは魚が飛ばし浮きの抵抗（重み）を感じることがない。その結果、この飛ばし浮きの抵抗（残存浮力）による魚が付け餌を放す頻度を減らすことができる。
また、図１０（Ａ），（Ｂ）に示すように、道糸を張っての聞き合わせをする場合は、二段浮きであっても竿先からアタリ浮きまでの間に従来の二段浮き仕掛けでの飛ばし浮きは無く、道糸を一直線状態に近づける事がたやすく、魚の小さなアタリ（動き）が竿先で取れるようになる。これらの図において、１２は道糸、１５はアタリ浮き、１７は飛ばし浮きを示す。また、図中１７ｂは、釣竿１１とアタリ浮き１５までの道糸を一直線に近づけようとした時に飛ばし浮き１７が移動した位置を示す（従来）。また、破線は移動した飛ばし浮き１７ｂからアタリ浮き１５までの道糸（ハリス）の移動状態を示す。
使用にあたっては、本発明の二段浮きと道糸及びハリスが投入時にからまないように、ハリスを手で持って投入するか、からまん棒より垂れ下がった飛ばし浮きより少し下の道糸かハリスにからまん棒をもう一つ取り付ける事でさらにからまない様になる。
【００２３】
請求項２に記載の発明によれば、糸紐部材の途中部分に、糸紐部材の長さ方向へ移動自在に弛み付け用錘を装着するとともに、糸紐部材の途中にストッパを取り付けたため、糸紐部材に沿った弛み付け用錘の移動が規制される。これにより、弛み付け用錘の飛ばし浮き側とアタリ浮き側の糸紐部材の長さに差異が生じ、例えば飛ばし浮き側を少し短く、アタリ浮き側を長くすると、水面に２つの浮きを浮かべた場合、これらが一定の間隔で離れて浮くこととなる。また、糸紐部材の弛みの度合い(弛み量)、ひいては聞き合わせにおいて、アタリ浮きを水中に引き込んでも魚が飛ばし浮きの抵抗を感じない深さ（水位）を調整することができる。
【００２４】
なお、ウエイトを着脱することにより、この飛ばし浮きの浮力を調整することができる。二段浮きでの飛ばし浮きの残存浮力を適宜変更することができる。
【００２５】
なお、アタリ浮きを道糸の先端部分に着脱自在に取り付けることにより、釣り場状況の変化などの各種の釣り条件に応じて、アタリ浮きを適宜変更することができる。
また、弛み付け用錘を糸紐部材の途中部分に着脱自在に装着することで、糸紐部材に装着される弛み付け用錘の数を適宜変更することができる。
【図面の簡単な説明】
【００２６】
【図１】この発明の実施例１に係る二段浮きを取り付けた釣竿の側面図である。
【図２】この発明の実施例１に係る二段浮きの要部拡大側面図である。
【図３】（ａ）この発明の実施例１に係る二段浮きの一部を構成するアタリ浮きの使用状態を示す拡大側面図である。（ｂ）このアタリ浮きの分解断面図である。（ｃ）このアタリ浮きに使用された芯棒の拡大側面図である。
【図４】この発明の実施例１に係る二段浮きにおいて、弛み付け用錘をストッパ付きの糸紐部材に浅く固定した場合（ａ）、または、弛み付け用錘をストッパの位置にある場合において移動自在に装着した場合（ｂ）のアタリの前後における仕掛けの変化を示す側面図である。
【図５】(ａ)この発明の実施例１に係る二段浮きの一部を構成する飛ばし浮きの糸紐部材への装着構造を示す拡大側面図である。（ｂ）この飛ばし浮きの糸紐部材への装着状態を示す拡大側面図である。
【図６】（ａ）この発明の実施例１に係る二段浮き仕掛けの一部を構成する弛み付け用錘の糸紐部材への挿通状態を示す拡大断面図である。（ｂ）この弛み付け用錘の固定棒による固定状態を示す拡大断面図である。
【図７】この発明の実施例１に係る二段浮きの使用時において、アタリの前後における仕掛けの変化を説明するための全体側面図である。
【図８】この発明の実施例１に係る二段浮き仕掛けにおいて、１つの弛み付け用錘を糸紐部材に固定し、または移動自在に装着した場合のアタリの前後における仕掛けの変化を示す側面図である。
【図９】この発明の実施例１に係る二段浮き仕掛けにおいて、２つの弛み付け用錘を糸紐部材に固定した場合または移動自在に装着した場合のアタリの前後における仕掛けの変化を示す側面図である。
【図１０】この発明に係る二段浮き仕掛けにおいて、道糸を張っての聞き合わせをする場合を説明するための平面図（Ｂ）である。また、従来の仕掛けにおける同様の場合を説明するための平面図（Ａ）である。
【発明を実施するための形態】
【００２７】
以下、この発明の実施例を具体的に説明する。グレ釣り用の二段浮き（二段浮き仕掛け）を例に説明する。
【実施例】
【００２８】
図１において、１０はこの発明の実施例１に係る二段浮きを示す。また、同図中１１は釣竿であって、この釣竿１１から道糸１２が延び、この道糸１２の先端にハリス１４の基端部が取着（結合）されている。ハリス１４の先端には釣針１３が取り付けられている。二段浮き１０は、この道糸１２の先端部分に取り付けられたアタリ浮き１５と、アタリ浮き１５に基端部が連結されたリリアン（所定長さの組紐）１６と、リリアン１６の先端部に連結された飛ばし浮き１７と、リリアン１６の長さ方向の途中部分に装着されて、リリアン１６を水中で下方へ弛ませる弛み付け用錘１８とを備えている。
【００２９】
以下、図１〜図６を参照して、これらの構成体を具体的に説明する。
図１に示す釣竿１１はグレ釣り用の磯竿である。道糸１２とハリス１４とは直結されているものの、サルカンを介してもよい。また、道糸１２やハリス１４には、釣りの状況に応じて、がん玉などの各種の釣り具を適宜取り付けることができる。
図２および図３に示すように、アタリ浮き１５は、小型で細長い中通しタイプのどんぐり浮きである。アタリ浮き１５の浮き本体１９はドングリ形状の木片の加工品であって(図３（ａ），（ｂ）)、その頭部（大径側の端部）には、円環状の浮き用錘２０が埋め込まれている。また、浮き本体１９の内部空間（軸孔）には、ＡＢＳ樹脂からなる芯棒２１が着脱自在に嵌入されている。なお、浮き本体１９のサイズが小さい場合は、この浮き用錘２０は埋め込まれていない。
このように、アタリ浮き１５を通しリング２２を介して道糸１２の先端部に着脱自在に取り付けたため、魚や釣り場などの各種の釣り条件に応じて、適宜に、例えば異なるサイズのアタリ浮き１５に変更することができる。なお、浮き本体１９と例えば金属製の芯棒２１とは、芯棒２１の先端部に形成した外ねじ部２１ａと、これが対峙する浮き本体１９の部分に形成された内ねじ部を介したねじ込み式としてもよい（図３（ｃ））。
【００３０】
芯棒２１の基端部には、道糸１２が挿通される上記通しリング２２が固定され、芯棒２１の先端部には、所定長さの組紐であるリリアン１６の基端部（一端部）が連結されている。通しリング２２は、サルカン類似の金具で形成している。この通しリング２２に替えて、棒状の先端部に穴開け加工した通しリング２２Ａでも良く、また、環は固定環でも遊動環でも良い（図２の部分拡大図）。道糸１２には、通しリング２２より釣針側の部分にからまん棒２３が装着されている。からまん棒２３に取り付けられた２つの円錐台状のゴム管２３ａのうち、通しリング２２側のゴム管２３ａは、その大径側を通しリング２２側に向けられている。
リリアン１６は、ポリアミド合成繊維の組紐で、その長さは５０ｃｍ、中空円状で外径は１．２ｍｍである。
【００３１】
図４に示すように、飛ばし浮き１７は、プラスチックからなる大型のどんぐり浮きで、その底部に錘２４ａ付きの蓋体２４が装着された大略卵型の中空体である。なお、蓋体２４は錘を有しない蓋体で構成しても良い。
飛ばし浮き１７は、その内部空間に、図示しない所定数のがん玉（ウエイト）３０を収納している。がん玉３０の数を変更することで浮力調整可能となっている。これにより、二段浮き１０の浮力を釣り場の状況（例えば潮の速さ）に応じて適宜変更することができる。なお、図４において、弛み付け用錘１８によるアタリ浮き１５の水位の変化については後述する。
また、図５（ａ）および図５（ｂ）に示すように、別の飛ばし浮き１７Ａとして、飛ばし浮き１７Ａの底部に小リング２５を固定し、これに小型のアイフック２６の基端部を連結する。そして、このアイフック２６を介して、飛ばし浮き１７Ａに、リリアン１６の先端部に固定された掛止リング２７を掛止するように構成してもよい。これにより、弛み付け用錘１８を飛ばし浮き１７側からリリアン１６に装着することができる。このように、弛み付け用錘１８をリリアン１６の途中部分に着脱自在に装着したため、リリアン１６に装着される弛み付け用錘１８の数を、釣りの状況に応じて適宜変更することができる。
【００３２】
図６（ａ），（ｂ）に示すように、弛み付け用錘１８は、ステンレスからなる短尺な円筒体である。その重量は０．３ｇである。
弛み付け用錘１８の内径は、リリアン１６に対してその延在する方向に沿って移動自在となるように、リリアン１６の直径より大きい１．８ｍｍとなっている（図６（ａ））。弛み付け用錘１８のリリアン１６への固定は、図６（ｂ）に示すように、固定棒２８による固定でも、リリアン１６の途中部分にあらかじめ取り付けられた、弛み付け用錘１８の移動を制限するストッパ２９による固定でもよい（図４および図８）。
【００３３】
次に、図１、図２、図４および図７〜図９を参照して、この発明の実施例１に係る二段浮き１０の使用方法を説明する。
図１、図２および図７に示すように、二段浮き１０を使用してグレの磯釣りを行う場合には、釣り場で釣竿１１を振って仕掛けを飛ばす。このとき、道糸１２には、リリアン１６を介して飛ばし浮き１７が連結されているため、二段浮き１０の全体重量が重くなり、これを遠くの投げ込み位置（目標位置）まで飛ばすことができる。
【００３４】
以下、図７を参照して、リリアン１６に弛み付け用錘１８が装着されていない場合（参考品）と、弛み付け用錘１８を１つ装着した場合（実施例品）における、アタリ（魚信）の前後における仕掛けの変化を説明する（図４参照）。
参考品の二段浮きが着水することにより、飛ばし浮き１７は海面上の位置ａ、アタリ浮き１５は海面上の位置ａ１に配置される。また、リリアン１６も海面を浮遊する。
魚が付け餌を咥えて水面下へ引く最初が大事で（位置ｂ）、リリアン１６には弛み付け用錘１８が装着されていないため、魚はアタリ浮き１５の流体抵抗（残存浮力）だけでなく、それより大きくて重い飛ばし浮き１７の抵抗（重み）も感じてしまう。その結果、魚は違和感を覚えて餌を放す。
【００３５】
次に、図７を参照して、リリアン１６に弛み付け用錘１８を装着した実施例１の二段浮き１０を説明する。
図７に示すように、二段浮き１０が着水すると、弛み付け用錘１８の重みの作用によりリリアン１６が下方へ弛み、飛ばし浮き１７は海面上の位置ａから位置ｃまで移動し、アタリ浮き１５は位置ａ１に配置される。このとき、弛み付け用錘１８が固定棒２８によりリリアン１６に固定されている場合を一点鎖線により示す。また、弛み付け用錘１８がリリアン１６に移動自在(フリー)の場合を二点鎖線により示す。
まず、弛み付け用錘１８がリリアン１６に対してフリー（遊動自在）の場合を説明する。
リリアン１６の長さ方向の中間部に配された弛み付け用錘１８により、水中では錘１８を最下方としてリリアン１６が二等辺三角形状に下方へ弛んでいるため、魚が付け餌を引いてアタリ浮き１５を水中に引き込んでも、Ｃ1，Ｃ2の深さまでは飛ばし浮きの重みはかからない。それより深く引き込むことで初めて飛ばし浮きの重みが魚に少しずつかかってくる。このときは、アタリの最初ではないため魚が餌を放すことは少なくなる。
【００３６】
また、弛み付け用錘１８がリリアン１６に対して固定された場合には、弛み付け用錘１８の作用により、リリアン１６は直角三角形状に下方へ弛んでいる。そのため、魚の引きによってアタリ浮き１５が水中へ引き込まれても、上述したフリーの場合の水位Ｃ１より深い水位Ｃ２にアタリ浮き１５が達するまでは、魚は飛ばし浮き１７の抵抗を感じにくい。
このように、リリアン１６の途中部分に、リリアン１６の長さ方向へ移動自在に弛み付け用錘１８を装着するとともに、リリアン１６の途中に固定棒２８を取り付けたため、リリアン１６に沿った弛み付け用錘１８の移動が規制される。これにより、リリアン１６の弛みの度合い(弛み量)、アタリ浮き１５を水中に引き込んでも魚が飛ばし浮き１７の抵抗を感じない深さ（水位）を調整することができる。また、波の作用により、アタリ浮き１５と飛ばし浮き１７とが大きく離れた場合でも、このリリアン１６の弛みにより、上述した良好なアワセを行うことができる。
【００３７】
次に、図８を参照して、二段浮き１０の変化（動き）をさらに詳細に説明する。
図８に示すように、二段浮き１０が着水すると、飛ばし浮き１７は海面上の位置Ａに配置され、アタリ浮き１５は位置Ａ１に配置される。このとき、弛み付け用錘１８の重みにより、飛ばし浮き１７は位置Ａから位置Ｂ（Ｅ）まで接近する。この位置Ｂ（Ｅ）は、アタリ浮き１５から４０ｃｍ程度離れた位置である。
【００３８】
魚の活性が悪い時、空腹でない等の原因でアタリ浮き１５が水面下で止まることがある。
仮に、その水位が海面下２０ｃｍ（水位Ｂ1）の場合には、仕掛け作りにおいて、リリアン１６の飛ばし浮き１７の側から海面下１０ｃｍほどの位置で固定棒２８を介して弛み付け錘１８を掛止するように構成する。図８中の実線によりこの状態を示す。この場合、海面下２０ｃｍ程度のところまでは、アタリ浮き１５には飛ばし浮き１７の重みが作用しない（図８二点鎖線）。
以上の状態では、飛ばし浮き１７からアタリ浮き１５までのリリアン１６が張っており、アタリ浮き１５より下の仕掛けは魚の引き込みにより張っている状態である。これに、飛ばし浮き１７の動きにより魚に軽い重みが加わると、付け餌を放さないが、なにかおかしいと思わせ、下に逃げるように仕向ける。このとき、当然に飛ばし浮き１７は浮力が０に近い状態であり、聞き合わせの状態を浮きにより作るのである。
【００３９】
次に、上述したアタリ浮き１５が止まる水位が海面下３０ｃｍ（水位Ｃ１）の場合には、リリアン１６の飛ばし浮き１７側から１５ｃｍくらいの位置にストッパ２９を取り付け、弛み付け用錘１８の降下を規制する。このときの飛ばし浮き１７の海面上での位置をＣとする。この状態を図８中で実線により示す。この場合、海面下３０ｃｍくらい（水位Ｃ１）のところまでは、アタリ浮き１５は飛ばし浮き１７の重みがかからない(図８二点鎖線)。
以上の状態では、飛ばし浮き１７からアタリ浮き１５までのリリアン１６が張っており、アタリ浮き１５より下の仕掛けは魚の引き込みにより張っている状態である。これに、飛ばし浮き１７の動きにより魚に軽い重みが加わると、付け餌を放さないがなにかおかしいと魚に思わせ下に逃げるように仕向ける。このとき、当然に飛ばし浮き１７は浮力が０に近い状態であり、聞き合わせの状態を浮きにより作るのである。
【００４０】
次いで、弛み付け用錘１８がリリアン１６に対してフリーの場合には、リリアン１６の長さ方向の中間部に弛み付け用錘１８が配置される（海面下約１３〜１４ｃｍ）。このときの飛ばし浮き１７の海面上での位置をＥとし、この状態を図８中で実線により示す。その後、魚がアタリ浮き１５を水位（海面下約２６ｃｍ）Ｅ１まで引き下げた時、アタリ浮き１５の浮力は弛み付け錘１８のマイナス浮力が加わり、さらに浮力が無くなる。それより下にアタリ浮き１５が入れば、アタリ浮き１５はＥ１位置より飛ばし浮きの方向によりながら沈むため、魚にすこしずつ重みをかけて反転して逃げようとするよう、飛ばし浮きの重みを仕向ける。
この弛み付け用錘１８をフリー状態とした仕掛け釣りは、釣りの初心者でも、経験による弛み付け用錘１８の位置調整をしなくてもよいため、好適である。
【００４１】
また、リリアン１６のアタリ浮き１５側に(例えばアタリ浮き１５から１０ｃｍくらいの位置)に、固定棒２８などを利用して、弛み付け用錘１８を固定してもよい。この場合には、アタリ浮き１５にかかる飛ばし浮き１７の重みが、例えば図８中の水位Ｆ１から水位Ｆ２のように徐々に重みをかけて、付け餌は放さないが何かおかしいと思わせて、反転して下へ逃げるよう仕向ける。
このように、固定棒２８やストッパ２９などを利用して、リリアン１６上での弛み付け用錘１８の位置を、魚の動きを含む様々な釣りの状況に応じた最適な水位に調整することができる。
【００４２】
次に、図９を参照して、リリアン１６に対して２つの弛み付け用錘１８を装着した場合を説明する。
ここでは、（１）リリアン１６に第１の弛み付け用錘１８と第２の弛み付け用錘１８とをそれぞれ固定した場合と、（２）第１の弛み付け用錘１８を固定し、第２の弛み付け用錘１８をフリー状態とした場合とについて説明する。
（１）の場合には、第１の弛み付け用錘１８をリリアン１６の飛ばし浮き１７側の端から約１０ｃｍの位置に固定棒２８により固定し、第２の弛み付け用錘１８を、この飛ばし浮き１７側の端から約２０ｃｍの位置に固定棒２８により固定している。
この条件では、海面上の位置Ａ１に配置されたアタリ浮き１５が、海面下約２０ｃｍの水位Ａ３に到達したときくらいから、魚はアタリ浮き１５だけでなく飛ばし浮き１７の重みも感じ始める。その後、アタリ浮き１５がさらに深い水位Ａ４まで引き込む間でリリアンの曲がりにより少しずつ魚に重みをかけてゆき、反転して走らせる。弛み付け錘1個の重さが０．１５ｇの場合、その重さはわずかなものであるため、少しかかり、次にもう一つ、そして飛ばし浮きの重みと、重みが1度では無く徐々にかかることによって、さらに斜め方向よりかかるため、付け餌は放さずに違和感を与えることで反転して下に逃げるように仕向ける。
【００４３】
また、（２）の場合には、第１の弛み付け用錘１８をリリアン１６の飛ばし浮き１７側の端から約１０ｃｍの位置に固定し、第２の弛み付け用錘１８をフリー状態とする。
この条件では、海面上の位置Ａ１のアタリ浮き１５が、海面下約１５ｃｍの深さの水位Ａ２を経て海面下約３８ｃｍの水位Ａ５から海面下約４０ｃｍの水位Ａ６に達したとき、アタリ浮き１５の浮力は第2弛み付け用錘１８の重みが加わり、さらにアタリ浮きの浮力はなくなる。後はこの時点で魚の警戒心もなくなりＡ６よりアタリ浮き１５を魚が下へ持ち込めば、弛み付け用錘１８、次に飛ばし浮き１７の重みが徐々に斜め方向よりかかる事で魚が反転して下へ走り逃げようとする。
このように、弛み付け用錘１８を２つ使用することにより、弛み付け用錘１８が１つの場合より、釣の状況に応じて多様な仕掛けの調整を行うことができる。
さらに、飛ばし浮き１７の下端より硬質の棒状の脚を設けて、脚先にリリアン１６を連結させても良い。
【産業上の利用可能性】
【００４４】
この発明は、飛ばし浮きとアタリ浮きとを有する二段浮きの技術として有用である。
【符号の説明】
【００４５】
１０  二段浮き、
１２  道糸、
１３  釣針、
１４  ハリス、
１５  アタリ浮き、
１６  リリアン（糸紐部材）、
１７，１７Ａ  飛ばし浮き、
１８  弛み付け用錘、
２９  ストッパ、
３０  がん玉(ウエイト)。
【図１】
2018050589.tif 000003
【図２】
2018050589.tif 000004
【図３】
2018050589.tif 000005
【図４】
2018050589.tif 000006
【図５】
2018050589.tif 000007
【図６】
2018050589.tif 000008
【図７】
2018050589.tif 000009
【図８】
2018050589.tif 000010
【図９】
2018050589.tif 000011
【図１０】
2018050589.tif 000012